(57)【要約】【課題】  扉の開操作に伴い自動で保持機能が作用して開いた扉が保持される。【解決手段】  キャビネット本体１ａに設けたストッパ部材３の基部を回動支持する受け金具４は、扉２の蝶着部近傍に配置されてストッパ部材３の基部を上方から挿入して水平面内で回動可能に支持する支持孔を有する。扉２に配置されてストッパ部材３の先端を支持する案内金具５は、ストッパ部材３の先端を挿入した状態で扉２の開閉を可能とするために扉背面に沿って左右方向に形成された長孔１４と、扉２が所定角度まで開いたらストッパ部材３の長孔１４内の戻り移動を禁止する帯状支持片５ａとを有し、帯状支持片５ａは扉２を所定角度まで開く間、ストッパ部材３の中間部を載置し続けて、所定角度に開くと帯状支持片５ａの端部を越えてストッパ部材３が移動して落とし込まれ、帯状支持片５ａの端部に阻止されて長孔内の戻り移動が禁止される。【選択図】  図２
2014043697.tif 000002
【特許請求の範囲】
【請求項１】
前面が開放された箱状のキャビネット本体と前記キャビネット本体の前面を回動操作で閉塞する扉とを有するキャビネットにおいて、前記キャビネット本体と前記扉との間にストッパ部材を掛け渡して開状態の前記扉を保持させるキャビネットの扉止め構造であって、
前記キャビネット本体の開口部下部に配置されて前記ストッパ部材の基部を回動支持する受け金具と、前記扉の下部に配置されて前記ストッパ部材の先端を支持する案内金具とを有し、
前記受け金具は、前記扉を蝶着した側部近傍に配置されて、前記ストッパ部材の基部を上方から挿入して水平面内で回動可能に支持する支持孔を有する一方、
前記案内金具は、前記ストッパ部材の先端を挿入した状態で前記扉の開閉を可能とするために扉背面に沿う左右方向に形成された長孔と、前記扉が所定角度まで開いたら前記ストッパ部材の前記長孔内の戻り移動を禁止する規制手段とを有することを特徴とするキャビネットの扉止め構造。
【請求項２】
前記規制手段は、扉を前記所定角度まで開く間、前記ストッパ部材の中間部を載置し続けるよう前記長孔に沿って形成された帯状支持片であり、前記所定角度に開くと前記ストッパ部材が前記帯状支持片の端部を過ぎて移動し、載置状態が解除されて落とし込まれることで、前記帯状支持片の端部に阻止されて前記長孔内の戻り移動が禁止されることを特徴とする請求項１記載のキャビネットの扉止め構造。
【請求項３】
前記受け金具は、扉が蝶着された一方から他方に向けて上り傾斜となるよう左右方向に傾斜を設けて形成したストッパ支持面を有し、前記支持孔は前記ストッパ支持面に形成されたことを特徴とする請求項２記載のキャビネットの扉止め構造。
【請求項４】
前記長孔に隣接する部位に、ストッパ部材の先端を挿入可能な透孔を備えたことを特徴とする請求項１乃至３の何れかに記載のキャビネットの扉止め構造。
【発明の詳細な説明】
【技術分野】
【０００１】
本発明は、電気機器等を収納するキャビネットに関し、特にその前面の扉を開けた際に、開いた状態の扉を保持するキャビネットの扉止め構造に関する。
【背景技術】
【０００２】
キャビネットに電気機器を収納する場合や収納機器をメンテナンスする場合には、扉を開けた状態で固定しておくと作業がし易いため、開放状態の扉をロックする扉止め構造が広く採用されている。例えば、特許文献１では、キャビネット本体と扉の間にコ字状に折り曲げた棒状のストッパを掛け渡して開放状態を保持させている。
【先行技術文献】
【特許文献】
【０００３】
【特許文献１】特開２０１１−５２３７０号公報
【発明の概要】
【発明が解決しようとする課題】
【０００４】
しかしながら、上記特許文献１の構成の場合、開けた扉を保持させる際、ストッパを本体側から取り出して扉側の係止部に係止操作する作業が必要であったため、保持操作が面倒であった。
特に、キャビネットが屋外に設置されているような場合、開けた扉が風に煽られることがあり、そのような場合はストッパーを操作する作業を扉を支えながら行わなければならず、保持作業が容易ではなかった。
【０００５】
そこで、本発明はこのような問題点に鑑み、扉の開操作に伴い自動で保持機能が作用して開いた扉が保持される簡易な構造のキャビネットの扉止め構造を提供することを目的としている。
【課題を解決するための手段】
【０００６】
上記課題を解決する為に、請求項１の発明は、前面が開放された箱状のキャビネット本体と前記キャビネット本体の前面を回動操作で閉塞する扉とを有するキャビネットにおいて、前記キャビネット本体と前記扉との間にストッパ部材を掛け渡して開状態の前記扉を保持させるキャビネットの扉止め構造であって、前記キャビネット本体の開口部下部に配置されて前記ストッパ部材の基部を回動支持する受け金具と、前記扉の下部に配置されて前記ストッパ部材の先端を支持する案内金具とを有し、前記受け金具は、前記扉を蝶着した側部近傍に配置されて、前記ストッパ部材の基部を上方から挿入して水平面内で回動可能に支持する支持孔を有する一方、前記案内金具は、前記ストッパ部材の先端を挿入した状態で前記扉の開閉を可能とするために扉背面に沿う左右方向に形成された長孔と、前記扉が所定角度まで開いたら前記ストッパ部材の前記長孔内の戻り移動を禁止する規制手段とを有することを特徴とする。
この構成によれば、ストッパ部材を案内金具に案内させた状態で扉の開操作ができるため、扉を閉じた状態から開放して扉の戻りが規制されてロック状態に至るまで、ストッパ部材を操作する必要がない。そのため、屋外に設置されて風に煽られても、開けた扉を容易に保持させることができ開放操作し易い。
【０００７】
請求項２の発明は、請求項１に記載の構成において、前記規制手段は、扉を前記所定角度まで開く間、前記ストッパ部材の中間部を載置し続けるよう前記長孔に沿って形成された帯状支持片であり、前記所定角度に開くと前記ストッパ部材が前記帯状支持片の端部を過ぎて移動し、載置状態が解除されて落とし込まれることで、前記帯状支持片の端部に阻止されて前記長孔内の戻り移動が禁止されることを特徴とする。
この構成によれば、ストッパ部材は帯状支持片の端部に落とし込まれるだけなため、扉を閉じる操作は、ストッパ部材を持ち上げて中間部を帯状支持片に載せれば良く、扉を閉じる操作も簡単で済む。
【０００８】
請求項３の発明は、請求項２に記載の構成において、前記受け金具は、扉が蝶着された一方から他方に向けて上り傾斜となるよう左右方向に傾斜を設けて形成したストッパ支持面を有し、前記支持孔は前記ストッパ支持面に形成されたことを特徴とする。
この構成によれば、ストッパ部材の基部を挿入する支持孔が、扉が蝶着された左右何れか一方から他方に向けて上り傾斜を有しているので、扉を閉じた状態ではストッパ部材基部は高い位置に移動する。その結果、閉じた状態では帯状支持片と係合しない高さにストッパ部材を移動させることができ、帯状支持片の有無にかかわらず、扉の開け始めはストッパ部材を長孔内をスムーズに移動させることができる。
【０００９】
請求項４の発明は、請求項１乃至３の何れかに記載の構成において、前記長孔に隣接する部位に、ストッパ部材の先端を挿入可能な透孔を備えたことを特徴とする。
この構成によれば、ストッパ部材先端を長孔から透孔に入れ替えれば、ストッパ部材の摺動を確実に禁止できるため、作業中にロックが外れて扉が開閉動作するような事態を防止できる。
【発明の効果】
【００１０】
本発明によれば、ストッパ部材を案内金具に案内させた状態で扉の開操作ができるため、扉を閉じた状態から開放して扉の戻りが規制されてロック状態に至るまで、ストッパ部材を操作する必要がない。そのため、屋外に設置されて風に煽られても、開けた扉を容易に保持させることができ開放操作し易い。また、ストッパ部材は帯状支持片の端部に落とし込まれるだけなため、扉を閉じる操作は、ストッパ部材を持ち上げて中間部を帯状支持片に載せれば良く、扉を閉じる操作も簡単で済む。
【図面の簡単な説明】
【００１１】
【図１】本発明に係る扉止め構造を有するキャビネットの一例を示す斜視図である。
【図２】Ａ部拡大図である。
【図３】ストッパ部材の斜視図である。
【図４】受け金具の斜視図である。
【図５】案内金具の斜視図である。
【図６】図１のキャビネットの扉を閉じた正面図であり、扉止め構造の構成部材を残して扉を削除した状態を示している。
【図７】図６の斜視図である。
【図８】Ｂ部拡大図である。
【発明を実施するための形態】
【００１２】
以下、本発明を具体化した実施の形態を、図面を参照して詳細に説明する。図１は本発明に係る扉止め構造を備えたキャビネットの一例を示す斜視図であり、キャビネット１はキャビネット本体１ａと扉２とから成り、扉２を開放した状態を示している。
キャビネット本体１ａは、前面に大きく開口した開口部１０を備え、他の面は閉塞されている。扉２はこの開口部１０を閉塞するよう設けられ、開放した扉２を保持するためのストッパ部材３が両者の間に掛け渡されている。
【００１３】
扉２の左側部は、蝶番１１を介してキャビネット本体１ａに蝶着され、回動操作でキャビネット本体１ａの開口部１０を開放／閉塞する。ストッパ部材３は、キャビネット本体１ａに設けた受け金具４、及び扉２側に設けた案内金具５に端部を係止して扉２を所定角度で保持ずるよう構成され、これらストッパ部材３、受け金具４、案内金具５により扉止め構造は構成されている。
【００１４】
図２はＡ部拡大図を示し、扉止め構造部を拡大している。また、図３〜図５は扉止め構造部の各部材の斜視図を示している。この図２〜５を参照して扉止め構造を説明する。
ストッパ部材３は、図３に示すように、金属棒の両端を折り曲げたコ字状を成し、基部となる一端に形成した下向きの本体係止部３ａと、先端となる他端に形成した下向きの扉係合部３ｂと、中央の中間長辺部３ｃとを備えている。本体係止部３ａは、後述する受け金具４に支持され、扉係合部３ｂは案内金具５に係合して摺動する。
【００１５】
受け金具４は、図４に示すように、帯状鋼板を略コ字状に折り曲げて形成され、上面４ａにストッパ部材３を挿入して支持する支持孔１３が設けられ、下方に折り曲げた左右の曲げ片４ｂ，４ｃは、キャビネット本体１ａへの固着部を成している。そして、上面４ａは傾斜形成され、支持孔１３は低く形成された一方の曲げ片４ｂに近い部位に穿設されている。
このように形成された受け金具４は、キャビネット開口部１０の扉２開放端側である右に向けて上り傾斜となるように開口部１０下部の左端に取り付けられている。
【００１６】
案内金具５は、図５に示すように矩形板体の左右長辺部をコ字状に折り曲げて形成され、凹状に形成された中央平坦部にはストッパ部材３の扉係合部３ｂを挿入して案内する長孔１４が形成されている。折り曲げて起立形成した一方の帯片は一様な高さの上辺を有し、ストッパ部材３に係合する帯状支持片５ａを形成している。また、同様に起立形成した他方の帯片は扉２の裏面に固着される取付片５ｂである。尚、長孔１４に連続する中央平坦部の端部には扉係合部３ｂを挿入できる透孔１６が穿設されている。
そして、ストッパ部材３の本体係止部３ａが、受け金具４の支持孔１３に挿入されて軸着される一方、扉係合部３ｂは案内金具５の長孔１４に摺動自在に挿入される。
【００１７】
ここで、受け金具４、案内金具５、長孔１４の位置関係を具体的に説明する。図６、図７は図１のキャビネット１の扉２を閉じた状態を示し、何れも扉止め構造の構成部材を残して扉２を削除して示している。また図８はＢ部拡大図を示している。
この図８に示すように、受け金具４の右端は案内金具５の帯状支持片５ａより高い位置に配置されるよう取り付けられている。図８において、ΔＨは受け金具４の最上部と帯状支持片５ａ上辺の高さの差を示し、受け金具４の最高位置の方が帯状支持片５ａより高いことを示している。尚、支持孔１３を形成した部位は帯状支持片５ａより低い位置に形成されている。
【００１８】
一方、長孔１４の扉２の開放端側となる右端は、扉２を閉じた状態でもストッパ部材３が摺動できる十分な長さで形成されているが、蝶着側の左端は、帯状支持片５ａの端部と特定の距離を設けて形成されている。具体的に、扉２を開けてストッパ部材３が帯状支持片５ａの端部から外れて落ちると（これが所定角度まで開けた状態となる）、落とし込まれたストッパ部材３の扉係合部３ｂは長孔１４の左端部に位置し、長孔１４上を前後動が禁止された状態となる。
【００１９】
上記の如く構成された扉止め構造の作用は以下の様である。このように受け金具４と案内金具５を配置することで、閉じた状態ではストッパ部材３は、開口部１０の開口面に並行、即ち左右方向を向いた状態にあり、ストッパ部材３の本体係止部３ａは、傾斜面を競り上がって受け金具上面３ａの最も高い位置に移動した状態となる。この結果、ストッパ部材３の中間長辺部３ｃは帯状支持片５ａより高い位置に移動し、扉２の開放を開始して交叉状態となっても両者は接触しない。但し、先端の扉係合部３ｂは長孔１４に挿入された状態を維持して、閉じた状態では長孔１４の最遠部（図６，７に示す右側）に移動する。
【００２０】
この閉じた状態から扉２を開けると、ストッパ部材３の先端が長孔１４を摺動して左側に移動を始め、中間長辺部３ｃが帯状支持片５ａ上を交差する方向に移動を始める。そして、開放角度の拡大に応じてストッパ部材３が回動して傾斜形成された上面４ａの低い方向へ移動し、本体係止部３ａが徐々に下方に移動する。その結果、開放動作の途中から、ストッパ部材３の中間長辺部３ｃが帯状支持片５ａに当接して、帯状支持片５ａ上を摺動する。尚、ストッパ部材３の扉係合部３ｂは、この間長孔１４内を摺動する。
【００２１】
この状態は、扉２を一定の角度に開くまで継続され、一定の角度に至ると図１に示すように、中間長辺部３ｃの帯状支持片５ａとの係合部が帯状支持片５ａの端部（案内金具の端部）に至り、やがて載置された状態から落下して帯状支持片５ａの左側側部１５（図５に示す）と係合する。
このとき、ストッパ部材３の扉係合部３ｂは、引き続き長孔１４と係合した状態を維持するが、長孔１４の扉蝶着側の端部まで移動した状態となり、帯状支持片５ａの側部１５とストッパ部材３が係合することで、長孔１４上の移動が規制され、扉２はその角度を保持することになる。こうして一定角度まで開けた扉２はその状態を維持する。更に、このとき、扉係合部３ｂの挿入先を長孔１４から透孔１６に差し替えることができる。
【００２２】
扉２を開けた保持状態から扉を閉じる場合は、ストッパ部材３を持ち上げて帯状支持片５ａの側部１５との係合を解除すれば良く、解除した状態で扉２を閉めればストッパ部材３は帯状支持片５ａに載置された状態で長孔１４内を摺動し、閉じれば最初の図６の状態に戻る。
【００２３】
このように、ストッパ部材３を案内金具５に案内させた状態で扉の開操作ができるため、扉２を閉じた状態から開放して扉２の戻りが規制されてロック状態となる位置に至るまで、ストッパ部材３を操作する必要がない。そのため、屋外に設置されて風に煽られても、開けた扉２を容易に保持させることができ開放操作し易い。
また、扉２を閉じる操作は、ストッパ部材３を持ち上げて中間長辺部３ｃを帯状支持片５ａに載せれば良く、扉２を閉じる操作も簡単で済む。
更に、ストッパ部材３の基部を挿入する支持孔１３が、扉２が蝶着された左右何れか一方から他方に向けて上り傾斜を有しているので、扉２を閉じた状態ではストッパ部材３の基部は高い位置に移動し、閉じた状態では帯状支持片５ａと係合しない高さにストッパ部材３が移動する。そのため、帯状支持片５ａの有無にかかわらず、扉２の開け始めはストッパ部材３を長孔１４内をスムーズに移動させることができる。
また、ストッパ部材３の先端を長孔１４から透孔１６に入れ替えれば、ストッパ部材３の摺動を完全に禁止できるため、作業中にロックが外れて扉２が開閉動作するような事態を防止できる。
【００２４】
尚、上記実施形態は、長孔１４及び透孔１６を何れも１つとしているが、何れも複数設けることができる。例えば、長孔１４を隣接させて並行に複数設ければ、開放した扉を保持する角度を変えることができ、設置環境に合わせて最適な角度に設定することが可能となる。透孔１６も同様に複数設けることで、設置環境に合わせて最適な角度で固定できる。
また、扉２はキャビネット１の前面に設けられているが、扉を設けた面を前面としているものであり、側面に扉を設けて開放可能とした場合は、この側方が前面となる。更に、キャビネットが複数の面に扉２を備えている場合は、それぞれの扉２に対して本発明の扉止め構造を適用できる。
【符号の説明】
【００２５】
１・・キャビネット、１ａ・・キャビネット本体、２・・扉、３・・ストッパ部材、３ａ・・本体係止部（一端）、３ｂ・・扉係合部（他端）、３ｃ・・中間長辺部（中間部）、４・・受け金具、４ａ・・上面（ストッパ支持面）、５・・案内金具、５ａ・・帯状支持片（規制手段）、１０・・開口部、１３・・支持孔、１４・・長孔、１５・・側部、１６・・透孔。
【図１】
2014043697.tif 000003
【図２】
2014043697.tif 000004
【図３】
2014043697.tif 000005
【図４】
2014043697.tif 000006
【図５】
2014043697.tif 000007
【図６】
2014043697.tif 000008
【図７】
2014043697.tif 000009
【図８】
2014043697.tif 000010